(57)【要約】【課題】光学系ユニットを画像読取フレームに組み付けた後においても、光学系ユニットの画像読取フレームに対する位置ズレを調整することができるようにする。【解決手段】光学系ユニットのケースシング３０の底面３０ａの４箇所が、画像読取フレーム底面１６ａにより支持されているとともに、上記４箇所のうちの少なくとも一箇所に高さ調整機構１が配置されている。高さ調整手段１は、高さが段階的に変化する複数の上面２ａを有し、底面１６ａに沿ってスライド可能に設けられた高さ調整部材２と、その高さ調整部材２を底面１６ａに沿ってスライドさせるための摘み３と、高さ調整部材２の上面２ａとケース３０の底面３０ａとの間に設けられたケース支持部材４とを備え、摘み３が画像読取フレームの外側から操作できるように画像読取フレームの外側に突出している。【選択図】図４
2008271521.tif 000002
【特許請求の範囲】
【請求項１】
対象物に光を照射しその反射光を受光するための光学部品群を備えた光学系と、
前記光学系が収容されるケーシングと、
前記ケーシングの一部を支持する支持フレームと、
前記ケーシングの他の一部を支持する支持面を有し、前記支持フレームと前記ケーシングとの間に介在される高さ調整部材と、を含み、
前記高さ調整部材は、
前記支持フレームによる前記ケーシングの支持状態が実質的に維持された状態で、前記支持フレームと前記ケーシングとの間をスライド移動が可能であり、
前記支持面は、少なくとも、所定の第１の高さ位置に設定された第１支持面と、前記第１の高さ位置とは異なる高さ位置の第２の高さ位置に設定された第２支持面とを含む、ことを特徴とする光学ユニットアセンブリ。
【請求項２】
前記高さ調整部材には、前記支持フレームと前記ケーシングとの間に前記高さ調整部材が組み付けられた状態で、外部から操作することが可能な操作部が備えられていることを特徴とする請求項１に記載の光学ユニットアセンブリ。
【請求項３】
前記ケーシングの僅かな持ち上げを許容する持ち上げ機構をさらに備え、
前記僅かな持ち上げは、前記支持フレームで前記ケーシングの一部が支持されている一方で、前記高さ調整部材の支持面による前記ケーシングの他の一部の支持が解除された状態の持ち上げであることを特徴とする請求項１に記載の光学ユニットアセンブリ。
【請求項４】
前記ケーシングの底面に取付けられる被調整部材をさらに備え、
前記高さ調整部材の支持面は、そのスライド方向に沿って階段状に形成され、該階段状の支持面で前記被調整部材が支持されていることを特徴とする請求項１に記載の光学ユニットアセンブリ。
【請求項５】
前記被調整部材の下面が、前記高さ調整部材のスライド方向に沿って、前記高さ調整部材の階段状の支持面とは逆の階段状に形成されていることを特徴とする請求項４に記載の光学ユニットアセンブリ。
【請求項６】
読取原稿に光を照射しその反射光を受光するための光学部品群を備えた光学系と、
前記光学系が収容されるケーシングと、
前記ケーシングが収容され、該ケーシングの底面の一部を支持する底面部を有するフレーム枠と、
前記ケーシングの底面に取付けられるケース支持部材と、
前記フレーム枠の底面部に水平方向へスライド移動が可能に取り付けられ、前記ケーシングの底面の他の一部を支持する支持面を有する高さ調整部材と、
前記高さ調整部材に固着され、該高さ調整部材を前記フレーム枠の底面部に沿ってスライド移動させる移動力が与えられる摘みと、を備え、
前記高さ調整部材の支持面は、少なくとも、所定の第１の高さ位置に設定された第１支持面と、前記第１の高さ位置とは異なる高さ位置の第２の高さ位置に設定された第２支持面とを含み、
前記ケース支持部材は、前記高さ調整部材の支持面で支持されるものであって、前記高さ調整部材のスライド移動に伴い前記第１支持面又は前記第２支持面で支持されることで、その高さ位置が調整され、
前記摘みは、前記フレーム枠の外側から操作できるように前記フレームの外側に突出していることを特徴とする画像読取装置。
【請求項７】
前記高さ調整部材の支持面が、そのスライド方向に沿って階段状に形成されていることを特徴とする請求項６に記載の画像読取装置。
【請求項８】
前記支持面が、一定の段差とされた多数の階段状の支持面とされており、
前記ケース支持部材は、高さが異なる２つの支持面に跨って接する段違い片を有することを特徴とする請求項７に記載の画像読取装置。
【請求項９】
前記高さ調整部材を前記フレーム枠に固定するための固定部材をさらに備え、
前記高さ調整部材は、前記固定部材が取付けられることにより前記フレーム枠に固定され、前記固定部材が取外されることによりスライド移動が可能となることを特徴とする請求項６に記載の画像読取装置。
【請求項１０】
前記フレーム枠には窓部が設けられ、
前記固定部材は、前記窓部を通して前記取付け又は取外しが可能とされていることを特徴とする請求項９に記載の画像読取装置。
【請求項１１】
前記高さ調整部材のスライド位置を表示する表示部をさらに備えることを特徴とする請求項６に記載の画像読取装置。
【請求項１２】
前記フレーム枠を支持する筐体と、
前記筐体内に収容され、前記光学系で読み取られた原稿画像データに基づき画像形成動作を行う画像形成部と、をさらに備えることを特徴とする請求項６に記載の画像読取装置。
【請求項１３】
筐体構造を備え、前記光学系で読み取られた原稿画像データに基づき画像形成動作を行う装置本体部と、
筐体構造を備え、前記装置本体部の上側に配置され、筐体内に読取原稿に光を照射しその反射光を受光するための光学部品群を備えた光学系が収容されてなる画像読取部と、
前記装置本体部の上面に水平方向に設けられ、前記画像読取部の底面の一部を支持する支持フレームと、
前記支持フレームに水平方向へスライド移動が可能に取り付けられ、前記画像読取部の底面の他の一部を支持する支持面を有する高さ調整部材と、
前記画像読取部の底面に取付けられる被調整部材と、を備え、
前記高さ調整部材の支持面は、少なくとも、所定の第１の高さ位置に設定された第１支持面と、前記第１の高さ位置とは異なる高さ位置の第２の高さ位置に設定された第２支持面とを含み、
前記被調整部材は、前記高さ調整部材の支持面で支持されるものであって、前記高さ調整部材のスライド移動に伴い前記第１支持面又は前記第２支持面で支持されることで、その高さ位置が調整されることを特徴とする画像形成装置。
【発明の詳細な説明】
【技術分野】
【０００１】
本発明は、光学系を有する光学ユニットアセンブリ、原稿画像を光学的に読み取る画像読取装置、及び画像読取装置を備えた画像形成装置に関する。
【背景技術】
【０００２】
一般に画像読取装置は、光源からの光を、レンズ等を介して原稿載置面にセットした原稿に照射させ、原稿からの反射光をＣＣＤ（charge coupled device）等の撮像素子で受光させることで、原稿を光学的に読み取る。光源、レンズおよびＣＣＤ等がケース内に内蔵された光学系ユニットは、原稿載置面を有する箱状の画像読取フレームの内部に収納されるのが一般的である。
【０００３】
ところで、このように構成された画像読取装置において、上記光学系ユニットが原稿載置面に対して傾いた設置状態となった場合には、読取画像に不良が生じる虞がある。そこで、画像読取フレームに対して光学系ユニットのケースの高さを調整して傾きを解消することが行われている。
【０００４】
上記傾きを調整する機構として、特許文献１では、光学系ユニットのケースと画像読取フレームとの間に、階段状の傾き調整部材をスライド可能に配し、その傾き調整部材にて光学系ユニットのケースを支持する構成のものが提案されている。この提案技術による場合には、傾き調整部材を水平方向へスライドさせることで光学系ユニットのケースを支持する階段状の位置を変化させ、これにより光学系ユニットの傾きを調整することができる。
【特許文献１】特開２００４−２７４６５１号公報
【発明の開示】
【発明が解決しようとする課題】
【０００５】
しかしながら、特許文献１の技術は、画像読取フレームに光学系ユニットを組み付けるときに、光学系ユニットの傾きを解消することを想定していて、一旦組み付けた後では傾きの調整を行うことが困難である。即ち、前記傾き調整部材は、組み付け時にスライドさせた後は画像読取部の所定位置に固定されてしまうため、事後的に傾き調整部材の位置を変えることができないという問題があった。
【０００６】
本発明の目的は、光学系ユニットをフレームに組み付けた後においても、容易に光学系ユニットの傾きを調整することができるようにすることにある。
【課題を解決するための手段】
【０００７】
本発明の一局面に係る光学ユニットアセンブリは、対象物に光を照射しその反射光を受光するための光学部品群を備えた光学系と、前記光学系が収容されるケーシングと、前記ケーシングの一部を支持する支持フレームと、前記ケーシングの他の一部を支持する支持面を有し、前記支持フレームと前記ケーシングとの間に介在される高さ調整部材と、を含み、前記高さ調整部材は、前記支持フレームによる前記ケーシングの支持状態が実質的に維持された状態で、前記支持フレームと前記ケーシングとの間をスライド移動が可能であり、前記支持面は、少なくとも、所定の第１の高さ位置に設定された第１支持面と、前記第１の高さ位置とは異なる高さ位置の第２の高さ位置に設定された第２支持面とを含む、ことを特徴とする（請求項１）。
【０００８】
この構成によれば、前記支持フレームによる前記ケーシングの支持状態が実質的に維持された状態で、高さ調整部材をスライド移動させることで、ケーシングの高さ調整を行うことができる。
【０００９】
上記構成において、前記高さ調整部材には、前記支持フレームと前記ケーシングとの間に前記高さ調整部材が組み付けられた状態で、外部から操作することが可能な操作部が備えられていることが望ましい（請求項２）。
【００１０】
この構成によれば、操作部を操作することで、容易に外部から高さ調整部材をスライド移動させることができる。
【００１１】
上記構成において、前記ケーシングの僅かな持ち上げを許容する持ち上げ機構をさらに備え、前記僅かな持ち上げは、前記支持フレームで前記ケーシングの一部が支持されている一方で、前記高さ調整部材の支持面による前記ケーシングの他の一部の支持が解除された状態の持ち上げであることが望ましい（請求項３）。
【００１２】
この構成によれば、前記高さ調整部材による前記ケーシングの支持状態を簡単に解除し、高さ調整部材をスライド移動可能な状態とすることができる。
【００１３】
上記構成において、前記ケーシングの底面に取付けられる被調整部材をさらに備え、前記高さ調整部材の支持面は、そのスライド方向に沿って階段状に形成され、該階段状の支持面で前記被調整部材が支持されていることが望ましい（請求項４）。
【００１４】
この場合、前記被調整部材の下面が、前記高さ調整部材のスライド方向に沿って、前記高さ調整部材の階段状の支持面とは逆の階段状に形成されていることがより望ましい（請求項５）。
【００１５】
本発明の他の局面に係る画像読取装置は、読取原稿に光を照射しその反射光を受光するための光学部品群を備えた光学系と、前記光学系が収容されるケーシングと、前記ケーシングが収容され、該ケーシングの底面の一部を支持する底面部を有するフレーム枠と、前記ケーシングの底面に取付けられるケース支持部材と、前記フレーム枠の底面部に水平方向へスライド移動が可能に取り付けられ、前記ケーシングの底面の他の一部を支持する支持面を有する高さ調整部材と、前記高さ調整部材に固着され、該高さ調整部材を前記フレーム枠の底面部に沿ってスライド移動させる移動力が与えられる摘みと、を備え、前記高さ調整部材の支持面は、少なくとも、所定の第１の高さ位置に設定された第１支持面と、前記第１の高さ位置とは異なる高さ位置の第２の高さ位置に設定された第２支持面とを含み、前記ケース支持部材は、前記高さ調整部材の支持面で支持されるものであって、前記高さ調整部材のスライド移動に伴い前記第１支持面又は前記第２支持面で支持されることで、その高さ位置が調整され、前記摘みは、前記フレーム枠の外側から操作できるように前記フレームの外側に突出していることを特徴とする（請求項６）。
【００１６】
この構成によれば、作業者は、摘みを把持して高さ調整部材を所望の方向へスライドさせることで、ケース支持部材の高さ位置が調整される。このケース支持部材の高さ位置の調整により、ケース底面の画像読取フレーム底面に対する高さを変えることが可能となる。よって、ケーシングのフレーム枠に対する位置ズレを調整することができる。また、このような調整を行うための摘みが、フレーム枠の外側から操作できるので、ケーシングをフレーム枠に組み付ける際は勿論のこと、その組み付け後においても、ケーシングのフレーム枠に対する位置ズレを調整することが可能である。
【００１７】
上記構成において、前記高さ調整部材の支持面が、そのスライド方向に沿って階段状に形成されていることが望ましい（請求項７）。
【００１８】
上記構成において、前記支持面が、一定の段差とされた多数の階段状の支持面とされており、前記ケース支持部材は、高さが異なる２つの支持面に跨って接する段違い片を有することが望ましい（請求項８）。この構成によれば、段違い片によって安定的に階段状の支持面に当接させることができる。
【００１９】
上記構成において、前記高さ調整部材を前記フレーム枠に固定するための固定部材をさらに備え、前記高さ調整部材は、前記固定部材が取付けられることにより前記フレーム枠に固定され、前記固定部材が取外されることによりスライド移動が可能となることが望ましい（請求項９）。この構成によれば、固定部材を外さなければ、高さ調整部材はスライド不可であるので、高さ調整部材の誤操作を防止することができる。
【００２０】
この場合、前記フレーム枠には窓部が設けられ、前記固定部材は、前記窓部を通して前記取付け又は取外しが可能とされていることが望ましい（請求項１０）。この構成によれば、窓部を通して固定部材の取付け又は取外しを容易に行うことができる。
【００２１】
上記構成において、前記高さ調整部材のスライド位置を表示する表示部を備えていることが望ましい（請求項１１）。この構成によれば、高さ調整部材のスライド位置を容易に把握させることが可能になる。
【００２２】
上記構成において、前記フレーム枠を支持する筐体と、前記筐体内に収容され、前記光学系で読み取られた原稿画像データに基づき画像形成動作を行う画像形成部とをさらに備えることが望ましい（請求項１２）。
【００２３】
本発明のさらに他の局面に係る画像形成装置は、筐体構造を備え、前記光学系で読み取られた原稿画像データに基づき画像形成動作を行う装置本体部と、筐体構造を備え、前記装置本体部の上側に配置され、筐体内に読取原稿に光を照射しその反射光を受光するための光学部品群を備えた光学系が収容されてなる画像読取部と、前記装置本体部の上面に水平方向に設けられ、前記画像読取部の底面の一部を支持する支持フレームと、前記支持フレームに水平方向へスライド移動が可能に取り付けられ、前記画像読取部の底面の他の一部を支持する支持面を有する高さ調整部材と、前記画像読取部の底面に取付けられる被調整部材と、を備え、前記高さ調整部材の支持面は、少なくとも、所定の第１の高さ位置に設定された第１支持面と、前記第１の高さ位置とは異なる高さ位置の第２の高さ位置に設定された第２支持面とを含み、前記被調整部材は、前記高さ調整部材の支持面で支持されるものであって、前記高さ調整部材のスライド移動に伴い前記第１支持面又は前記第２支持面で支持されることで、その高さ位置が調整されることを特徴とする（請求項１３）。
【００２４】
この構成によれば、高さ調整部材を水平方向へスライド移動させることで、画像読取部下側の被調整部材に対する位置が変化し、これに伴って被調整部材を支持する調整部材上面の位置が変わって被調整部材の高さが調整される。これにより、被調整部材を底面に取付けた画像読取部の高さが調整される。したがって、光学系を画像読取部に組み付けた後においても、光学系の傾きを調整することができる。
【発明の効果】
【００２５】
本発明によれば、光学系ユニットをフレームに組み付けた後においても、容易に光学系ユニットの傾きを調整することができる光学ユニットアセンブリ、画像読取装置及び画像形成装置を提供できる。
【発明を実施するための最良の形態】
【００２６】
以下、図面に基づいて、本発明の実施形態を詳細に説明する。
［第１実施形態］
図１は、本発明の第１実施形態に係る画像形成装置１０の概要を示す正面図である。図２は、図１に示された画像読取装置の斜視図である。なお、図１および図２においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。この方向に関しては、図３〜図８においても同様である。
【００２７】
第１実施形態では、画像形成装置１０（光学ユニットアセンブリの一例）として、タンデム型のカラー複写機を例示している。画像形成装置１０は、筐体構造を有する画像形成装置本体部（以下、装置本体部という）１１と、この装置本体部１１の上面側で支持された箱状の画像読取フレーム１６（フレーム枠）と、画像読取フレーム１６内に収容された光学系ユニット２０（ケーシング；画像読取装置の一部）とを備えている。なお、本実施形態では、装置本体部１１の左端部に設けられた支持部１１ａと、右側奥部に設けられた支柱部１１ｂとによって、画像読取フレーム１６が支持され、かつ装置本体部１１と画像読取フレーム１６との間の空間の背面側が背面カバー１１ｃにて塞がれている。
【００２８】
装置本体部１１には、光学系ユニット２０によって読み取られた原稿画像データに基づき画像を形成する画像形成部１２と、この画像形成部１２によって形成され、用紙Ｐに転写された画像に定着処理を施す定着部１３と、転写用の用紙Ｐを貯留する用紙貯留部１４とが内装されている。装置本体部１１の頂部には、排出された定着処理後の用紙Ｐを受ける胴内排紙トレイ１５１を備えた排紙部１５が設けられている。
【００２９】
画像読取フレーム１６は、光学系ユニット２０を収容すると共に、光学系ユニット２０を支持する。画像読取フレーム１６の外側は、外装カバー１６０で覆われている。外装カバー１６０は、上面にコンタクトガラス３１を備えるとともに、コンタクトガラス３１上に載置された原稿を押さえるための原稿マット１６１が開閉自在に設けられている。原稿マット１６１は、外装カバー１６０の上面後方位置（オペレータが操作する位置から見て奥側）に一対で設けられた蝶番部材１６２（図２）の蝶番軸回りに正逆回動可能とされ、コンタクトガラス３１の上面を閉止した閉止姿勢Ｔ１と、コンタクトガラス３１の上面を開放した開放姿勢Ｔ２との間で姿勢変更可能とされている。
【００３０】
光学系ユニット２０は、コンタクトガラス３１上に載置された原稿が原稿マット１６１によって押さえられた状態で、コンタクトガラス３１を介して原稿に光を照射しその反射光を受光することで、原稿画像を光学的に読み取る。光学系ユニット２０で読み取られた原稿の画像情報は、所定のデータ処理が施された上で画像形成部１２へ出力される。
【００３１】
外装カバー１６０の適所には、原稿読み取りや複写処理等に関する処理条件を入力操作するための操作パネル１７が設けられているとともに、この操作パネル１７に隣接してＬＣＤ（Liquid crystal display）１８が設けられている。これら操作パネル１７およびＬＣＤ１８が設けられた操作部１９は、本実施形態では画像読取フレーム１６および外装カバー１６０から分離できるように取外し可能となっている。
【００３２】
画像形成部１２は、用紙貯留部１４から給紙された用紙Ｐにトナー画像を形成させるものである。画像形成部１２は、本実施形態では、上流側（図１の右側）から下流側へ向けて順次配設されたマゼンタ用ユニット１２Ｍ、シアン用ユニット１２Ｃ、イエロー用ユニット１２Ｙおよびブラック用ユニット１２Ｋを有している。
【００３３】
各ユニット１２Ｍ，１２Ｃ，１２Ｙ，１２Ｋには、感光体ドラム１２１および現像装置１２２がそれぞれ備えられている。各感光体ドラム１２１は、図１において反時計方向へ向けて回転しつつ対応した現像装置１２２からトナーの供給を受ける。各現像装置１２２には、装置本体部１１の前面側（図１の紙面の表側）に配設された図略のトナーカートリッジからトナーが補給される。
【００３４】
各感光体ドラム１２１の直下位置には帯電器１２３がそれぞれ設けられているとともに、各帯電器１２３のさらに下方位置には露光装置１２４が設けられている。各感光体ドラム１２１は、帯電器１２３によって周面が一様に帯電され、光学系ユニット２０で読み取られた画像データに基づく各色に対応したレーザ光が、各露光装置１２４から感光体ドラム１２１の周面に照射される。これにより、各感光体ドラム１２１の周面に静電潜像が形成される。かかる静電潜像に現像装置１２２からトナーが供給されることにより、感光体ドラム１２１の周面にトナー像が形成される。
【００３５】
感光体ドラム１２１の上方位置には、当該各感光体ドラム１２１に当接するように駆動ローラ１２５ａおよび従動ローラ１２５ｂ間に張設された転写ベルト１２５が設けられている。この転写ベルト１２５は、各感光体ドラム１２１に対応して設けられた転写ローラ１２５ｃによって感光体ドラム１２１の周面に押し付けられた状態で、各感光体ドラム１２１と同期しながら駆動ローラ１２５ａと従動ローラ１２５ｂとの間を周回する。
【００３６】
従って、転写ベルト１２５が周回することによりその表面に対しマゼンタ用ユニット１２Ｍの感光体ドラム１２１によるマゼンタのトナー像の転写が行なわれ、ついで転写ベルト１２５の同一位置にシアン用ユニット１２Ｃの感光体ドラム１２１によるシアンのトナー像の転写が重ね塗り状態で行なわれる。以下同様に、イエロー用ユニット１２Ｙの感光体ドラム１２１によるイエローのトナー像、ブラック用ユニット１２Ｋの感光体ドラム１２１によるブラックのトナー像が順次重ね塗りされる。これによって、転写ベルト１２５の表面にカラー画像が形成される。このカラー画像は、用紙貯留部１４から搬送されてくる用紙Ｐに転写される。
【００３７】
各感光体ドラム１２１の左方位置には、当該感光体ドラム１２１の周面の残留トナーを除去して清浄化するクリーニング装置１２６が設けられている。クリーニング装置１２６によって清浄化処理された感光体ドラム１２１の周面は、新たな帯電処理のために帯電器１２３へ向かう。なお、クリーニング装置１２６で感光体ドラム１２１の周面から取り除かれた廃トナーは、所定の経路を通って図略のトナー回収ボトルに回収され、貯留される。
【００３８】
画像形成部１２の左方位置には、上下方向に延びる用紙搬送路１１１が形成されている。この用紙搬送路１１１の適所には搬送ローラ対１１２が設けられている。用紙貯留部１４から送り出される用紙Ｐは、この搬送ローラ対１１２の駆動で、駆動ローラ１２５ａに掛け回されている転写ベルト１２５へ向けて搬送される。
【００３９】
用紙搬送路１１１には、駆動ローラ１２５ａと対向した位置に、転写ベルト１２５の表面と当接した第２転写ローラ１１３が設けられている。用紙搬送路１１１を搬送されつつある用紙Ｐは、転写ベルト１２５と第２転写ローラ１１３とに押圧挟持されながら、転写ベルト１２５上のトナー像が転写される。
【００４０】
転写ベルト１２５の右端部には、当該転写ベルト１２５の表面に残留した残留トナーを除去する転写ベルト用クリーニング装置１２７が設けられている。用紙Ｐへの転写処理が完了した転写ベルト１２５は、表面の残留トナーが転写ベルト用クリーニング装置１２７によって取り除かれ清浄化された状態で、次の転写処理へ向けて周回される。
【００４１】
定着部１３は、画像形成部１２で転写された用紙上のトナー像に対し定着処理を施すものであり、内部に加熱源であるハロゲンランプ等の通電発熱体を備えた定着ローラ１３１と、左方でこの定着ローラ１３１と対向配置された加圧ローラ１３２とを備えている。第２転写ローラ１１３を介して画像形成部１２から導出された転写処理済の用紙Ｐは、これら定着ローラ１３１および加圧ローラ１３２間に押圧挟持されつつ搬送される。この際、定着ローラ１３１から与えられる熱により、トナー画像は用紙Ｐへ定着され、用紙上に安定した状態のカラー画像が形成される。
【００４２】
定着処理の完了したカラー印刷済みの用紙Ｐは、定着部１３の上部から延設された排紙搬送路１１４を通って装置本体部１１に設けられた胴内排紙トレイ１５１へ向けて排出される。
【００４３】
用紙貯留部１４は、装置本体部１１における露光装置１２４の下方位置に挿脱自在に装着された用紙トレイ１４１を有している。用紙トレイ１４１には用紙束が貯留される。用紙Ｐは、用紙トレイ１４１に貯留された用紙束からピックアップローラ１４２の駆動で１枚ずつ繰り出され、用紙搬送路１１１を通って第２転写ローラ１１３と転写ベルト１２５との間のニップ部へ向かわせられる。
【００４４】
続いて、以上のように構成された装置本体部１１の上側に配置される光学系ユニット（画像読取装置）２０について説明する。光学系ユニット２０は、読取原稿（対象物）に光を照射しその反射光を受光するための光学部品群を備えた光学系を含んでいる。
【００４５】
光学系ユニット２０は、箱形を呈したケーシング３０と、このケーシング３０に左右方向へ向けて正逆移動可能に内装され、かつ、原稿面に光を照射してその反射光を得る読取ユニット４０（光学系の一部）と、この読取ユニット４０からの反射光を集光して画像データとして取り込むレンズ・センサユニット５０（光学系の一部）とを備えている。
【００４６】
ケーシング３０は、画像読取フレーム１６の内部に収納され得るように、直方体の形状に設定されている。ケーシング３０の上面中央部には、矩形状を呈した大きな開口が設けられ、この開口にコンタクトガラス３１が嵌め込まれている。コンタクトガラス３１は、光学系ユニット２０が画像読取フレーム１６内に装着された状態で、外装カバー１６０の上面に設けられた開口に臨むように設置位置が設定されている。
【００４７】
読取ユニット４０は、ケーシング３０内を移動する移動体であり、ケーシング３０の左端部から若干右方に寄った位置（ホームポジション）を起点とし、右方に向けて往動することによりコンタクトガラス３１上に載置された原稿の原稿面を走査し、しかる後に復動してホームポジションに戻る。
【００４８】
読取ユニット４０は、原稿面に向けて光を照射する光源ユニット４１と、この光源ユニット４１からの光の原稿面での反射光を光路に沿うように反射させてレンズ・センサユニット５０へ導くミラーユニット４２とを備える。
【００４９】
光源ユニット４１は、左右方向に長い枠体からなり左右方向に向けて正逆走行する第１走査枠体４１１と、この第１走査枠体４１１に支持され前後方向に長尺の光源部材４１２と、この光源部材４１２から照射された光の原稿画面からの反射光を左方に向けて反射させる第１ミラー４１３とを備えている。
【００５０】
光源部材４１２は、所定のフレームに複数個の単位ＬＥＤ（light emitting diode）４１２ａが一列に配列されることによって形成されている。光源部材４１２から照射された光は、コンタクトガラス３１を介して原稿Ｐ１の原稿面で反射される。原稿Ｐ１の原稿面で反射された光は、複数のミラー４１３、４２２、４２１を経て、レンズ・センサユニット５０に導かれる。レンズ・センサユニット５０はＣＣＤ５１を含み、該ＣＣＤ５１により光の信号が電気信号に変換されて、画像情報として画像形成部１２へ出力される。
【００５１】
このように構成された光学系ユニット２０のケーシング３０と、この光学系ユニット２０を収納する画像読取フレーム１６（支持フレーム）との間には、図３に示すようにケーシング３０の底面の四隅のうちの右前側の隅部の近傍に高さ調整機構１が設けられ、残り３つの隅部の近傍には一定高さの脚部１Ａが設けられている。ケーシング３０は、この３つの脚部１Ａと、高さ調整機構１とにより支持されており、右前側のポジションにおいて、高さ調整機構１によって、画像読取フレーム１６の底面１６ａに対する高さ位置が調整可能とされている。
【００５２】
図４は高さ調整機構１の断面図で、図５は高さ調整機構１の分解斜視図で、図６は高さ調整機構１の摘み３の配置箇所を示す斜視図、図７は外装カバーに設けた窓を覆う開閉部材を示す斜視図、図８はその開閉部材が開のときに見える状態を示す画像形成装置１０の右側面図である。
【００５３】
高さ調整機構１は、高さが段階的に変化する複数の上面２ａ（支持面；第１支持面及び第２支持面）を有する高さ調整部材２と、その高さ調整部材２に一体的に形成されている摘み３（操作部）と、高さ調整部材２の上面２ａで支持されケーシング３０の底面３０ａに一体的に取り付けられるケース支持部材４（被調整部材）とを備える。本実施形態では、摘み３を有する高さ調整部材２は画像読取フレーム１６側に設けられ、ケース支持部材４はケーシング３０側に設けられている。
【００５４】
摘み３は、底面１６ａに設けられた開口１６ｂから下端部が露出しており、開口１６ｂに沿って前後方向へスライド移動できるようになっている。ユーザから摘み３にスライド移動力が与えられることにより、高さ調整部材２は、画像読取フレーム１６の底面１６ａに沿って、前後方向へスライド移動することができる。
【００５５】
本実施形態では、上面２ａは、１０段の高さが異なる支持面（各支持面の段差は一定）が前後方向（スライド方向）に階段状に形成されている例を示している。これは一例であり、高さ調整部材２は、少なくとも所定の第１の高さ位置に設定された第１支持面と、この第１の高さ位置とは異なる高さ位置の第２の高さ位置に設定された第２支持面とを備えていれば良い。しかし、本実施形態のように、高さ調整部材２のスライド方向に沿って高さが順次僅かに変化する多数段の階段状の上面２ａとすれば、高さ調整部材２のスライド移動に応じて高さ微調整ができるので好ましい。
【００５６】
また、高さ調整部材２は、ビス８（固定部材；図５、図８参照）の取付けによりスライド移動が不可になるように構成されている。外装カバー１６０の側板１６０ｃには、窓１６０ｄが設けられている。ビス８は、窓１６０ｄを通して画像読取フレーム１６に取付け、取外しが可能とされている。
【００５７】
具体的には、画像読取フレーム１６に設けられたねじ孔１６ｅに、ビス頭側が突出する状態でビス８が螺合されている。また、高さ調整部材２の側面には、複数（スライド可能な段数分である６個）の孔２ｃが設けられている。そして、ねじ孔１６ｅから突出したビス８の先端部に、孔２ｃの一つが係合された状態とすることで、高さ調整部材２のスライド移動が不可となる。高さ調整部材２をスライド移動させる場合は、ビス８が取り外される。なお、図５および図８中の符号１６ｃで示す部分は、外装カバー１６０の側板１６０ｃの内側に設けられた画像読取フレーム１６の側板である。
【００５８】
高さ調整部材２の側面には、当該高さ調整部材２のスライド位置を指示させるためのマーク２ｂが設けられている。マーク２ｂは、画像読取フレーム１６の側板１６ｃに形成したスリット１６ｆを通して、外部から視認できる位置に設けられている（図８の円内部分拡大図参照）。マーク２ｂが、側板１６ｃに付された表示部、例えば１〜６の数字を有する表示部９におけるいずれか一つの数字に一致することで、高さ調整部材２のスライド量、つまりケーシング３０における画像読取フレーム１６の底面１６ａに対する高さ位置が数値的に把握できる。ここで、表示部９の数字１が一番高く、数字６が一番低い。
【００５９】
ケース支持部材４は、ケーシング３０の底面３０ａに形成された貫通孔３０ｂに取付けられる台部材５と、高さ調整部材２の上に配される台部材固定具６と、この台部材固定具６に前記台部材５を固定する固定ピン７とを有する。
【００６０】
台部材固定具６は、高さ調整部材２における高さが異なる２つの上面２ａに跨る前後方向に設けられた段違い片６ａ、６ｂと、高さ調整部材２の左右方向への位置ズレを規制する左右に一対で設けた規制片６ｃ、６ｄと、固定ピン７の先端部に形成したねじ７ａが螺入されるねじ孔６ｅを有する天井面６ｆを備える（図４、５参照）。なお、段違い片６ａの高さと段違い片６ｂの高さとの差は、本実施形態では上面２ａの４段の段差に設定されていて、天井面６ｆがほぼ水平となるようにしている。
【００６１】
台部材５は、例えばゴム製のもので、概略筒状に形成されていて、その周面には環状凹溝５ａが形成されている。環状凹溝５ａに貫通孔３０ｂの内縁が入り込むことで、台部材５はケーシング３０の底面３０ａに取付けられている。この台部材５に対し、台部材固定具６が固定ピン７を介して固定されている。
【００６２】
このような高さ調整機構１は、前述したように底面３０ａの右前側に設けられていて、外装カバー１６０の右側側板１６０ｃには、前記窓１６０ｄと（図８参照）、この窓１６０ｄを開閉するための開閉部材１６３が設けられている（図７参照）。窓１６０ｄが開状態となると、高さ調整部材２を固定するビス８の取付け・取外しが可能になるとともに、高さ調整部材２のスライド位置を示す表示部９およびマーク２ｂが表れる。
【００６３】
高さ調整機構１の高さ調整は、原稿が載置されるコンタクトガラス３１に対し、光学系ユニット２０のケーシング３０が傾斜した場合などに操作される。高さ調整機構１の操作は以下のように行われる。
【００６４】
まず、作業者は、開閉部材１６３を外し、窓１６０ｄからビス８を外し、高さ調整部材２をスライド可能な状態にする。
【００６５】
続いて、操作部１９を、画像読取フレーム１６および外装カバー１６０から分離して外し、画像読取フレーム１６の一部を露出させる。図６は、その露出状態を示している。作業者は、かかる露出部に表れた持ち上げ用の開口１６ｇ（持ち上げ機構）に手指を差し入れて、光学系ユニット２０のケーシング３０の前方側を少し持ち上げる。このとき、ケーシング３０の後方側は、後側の２つの脚部１Ａで支えられており、画像読取フレーム１６によるケーシング３０の支持状態は実質的に維持されている。この状態で作業者は、摘み３を前後方向の所望方向へスライドさせてケース支持部材の高さ位置を調整する。しかる後、作業者は、開口１６ｇを通して持ち上げているケーシング３０の前方側を降ろす。
【００６６】
その後、マーク２ｂの位置と一致している数字が確認される。所望の数字となっていて、再調整の必要が無い場合には、作業者は、窓１６０ｄからビス８を取付け、高さ調整部材２をスライド不可な状態にし、開閉部材１６３を取付けて窓１６０ｄを塞ぐ。更に、前記操作部１９を、画像読取フレーム１６および外装カバー１６０に取付ける。
【００６７】
以上説明した通り、第１実施形態では、摘み３を把持して高さ調整部材２を所望の方向へスライドさせることで、ケース支持部材４の高さ位置が調整される。このケース支持部材４の高さ位置の調整により、ケーシング３０の底面３０ａにおける画像読取フレーム１６の底面１６ａに対する高さを変えることが可能となる。よって、光学系ユニット２０の画像読取フレーム１６に対する位置ズレを調整することができる。
【００６８】
また、このような調整を行うための摘み３が、画像読取フレーム１６の外側から操作できる。従って、光学系ユニット２０を画像読取フレーム１６に組み付ける際は勿論のこと、光学系ユニット２０を画像読取フレーム１６に組み付けた後においても、これを解体することなく画像読取フレーム１６によるケーシング３０の支持状態が実質的に維持された状態で、光学系ユニット２０の画像読取フレーム１６に対する位置ズレを調整することが可能である。
【００６９】
また、第１実施形態では、開閉部材１６３を開にしてビス８（固定部材）を外さなければ、高さ調整部材２はスライド不可であり、画像読取フレーム１６の外側に露出している摘み３を動かすことができないことから、誤操作を防止することができる。更に、開閉部材１６３を開にすることで、高さ調整部材２のスライド位置を視認することが可能になる。
【００７０】
以上、本発明の第１実施形態につき説明したが、上述の実施形態に限定されるものではなく、例えば下記（１）〜（４）の変形実施形態を取ることができる。
【００７１】
（１）上述した実施形態では摘み３を画像読取フレーム１６の底面１６ａから下側に突出させる例を示した。これに限らず、摘み３を高さ調整部材２の側面に取付けて画像読取フレーム１６の側面から横方に向けて外側へ突出させるように構成してもよい。
【００７２】
（２）上述した実施形態では摘み３および高さ調整部材２を前後方向にスライドさせる構成としているが、摘み３および高さ調整部材２を左右方向にスライドさせる構成としてもよい。
【００７３】
（３）上述した実施形態では高さ調整機構１を光学系ユニット２０の四隅のうちの一つである右前側に設ける構成としているが、これは一例である。例えば、前記四隅のうちの少なくとも１箇所以上、つまり２箇所、または３箇所、または４箇所に高さ調整機構１を配置してもよい。高さ調整機構１を配置しない残りの隅部の近傍には、一定高さの脚部１Ａが設けられる。
【００７４】
（４）上述した実施形態では、画像読取装置の下側に装置本体部１１が設けられた複写機の画像読取装置に本発明を適用する場合を例に挙げた。本発明はこの他に、例えば、画像読取装置の下側にプリンター本体部やファクシミリ本体部が設けられた、複写機としても兼用されるプリンターやファクシミリの画像読取装置にも、同様に適用することができる。また、複写機本体部、プリンター本体部またはファクシミリ本体部が別体となっている単体の画像読取装置にも同様に適用することができる。さらに、対象物に光を照射しその反射光を受光するための光学部品群を備えた光学系を含む、光学ユニットアセンブリ一般にも同様に適用できる。
【００７５】
［第２実施形態］
続いて、本発明の第２実施形態に係る画像形成装置１０Ａを説明する。第２実施形態では、画像形成装置１０Ａとして、モノクロ型の複写機を例示している。図９は、第２実施形態に係る画像形成装置１０Ａを模式的に示す正面断面図である。なお、図中の実線矢印は用紙の搬送経路および搬送方向を示し、一点鎖線矢印はレーザ光Ｌを示す。また、図９及び以下の図におけるＸ、Ｙの方向表示は、図１〜図８の場合と同様である。
【００７６】
画像形成装置１０Ａは、下部に筐体構造を備える画像形成装置本体２１Ａを、上部に同様に筐体構造を備える画像読取部２１Ｂを有し、画像読取部２１Ｂで読み取られた画像データに基づいて画像形成装置本体２１Ａがトナー像を形成し、そのトナー像を用紙Ｐに転写する基本構成をとる。
【００７７】
画像形成装置本体２１Ａは、下部に給紙部２２を有する。給紙部２２の内部には、印刷前のカットペーパー等の用紙Ｐが積載して収容され、ここから１枚ずつ分離して用紙Ｐが送り出される。
【００７８】
画像形成装置本体２１Ａの内部であって、給紙部２２の左方には、用紙搬送路２３が備えられている。給紙部２２から送り出された用紙Ｐは、用紙搬送路２３により画像形成装置１０Ａの側面に沿って垂直上方に搬送され、後述する転写部２３０に至る。
【００７９】
一方、画像形成装置本体２１Ａの上側に設けられた画像読取部２１Ｂには、画像読取部２１Ｂの上面に形成された原稿載置面に載置した原稿の画像データを読み取る光学系ユニット２４が内蔵されている。この光学系ユニット２４は、光源２４ａと、光源２４ａから出射して原稿から反射してきた光の方向を変えるための複数、例えば３つのミラー２４ｂ、２４ｃ、２４ｄと、これらミラー２４ｂ、２４ｃ、２４ｄを経て原稿の画像データを読み取るＣＣＤ２４ｅとを有する。
【００８０】
画像読取部２１Ｂにより読み取られた画像データの情報は、給紙部２２の上方であって、画像形成装置本体２１Ａの中央部に配置されたレーザ照射部２６に送られる。レーザ照射部２６は、画像データに基づいて制御されたレーザ光Ｌを、後述する画像形成部２２０に向かって照射する。
【００８１】
用紙搬送路２３の上方であって、レーザ照射部２６の左方には、画像形成部２２０、および転写部２３０が備えられている。画像形成部２２０では、レーザ照射部２６によって照射されたレーザ光Ｌにより原稿画像の静電潜像が作られる。この静電潜像からトナー像が形成され、トナー像は、前記用紙搬送路２３によって同期を取って送られてきた印刷前の用紙Ｐに、転写部２３０にて転写される。
【００８２】
転写部２３０の上方には、定着部２７が備えられている。転写部２３０にて未定着トナー像を担持した用紙Ｐは、定着部２７へと送られ、熱ローラによりトナー像が加熱、溶融されて定着される。
【００８３】
定着部２７の上方には、分岐部２８が備えられている。定着部２７から排出された用紙Ｐは、両面印刷を行わない場合には、分岐部２８から画像形成装置１０Ａの胴内に設けられた用紙排出トレイ２９に排出される。
【００８４】
分岐部２８から用紙排出トレイ２９に向かって用紙Ｐが排出されるその排出口部分は、スイッチバック部２１０としての機能を果たす。両面印刷を行う場合には、このスイッチバック部２１０において、定着部２７から排出された用紙Ｐの搬送方向が切り替えられる。そして、用紙Ｐは、定着部２７および転写部２３０の左方を通って下方に送られ、再度用紙搬送路２３を経て転写部２３０へと送られる。
【００８５】
図１０は、画像形成部２２０の周辺を示す詳細図である。なお、図１０では用紙搬送方向が水平となるように描き直したものであって、省略可能な部品については省略している。
【００８６】
画像形成部２２０には、その中心に像担持体である感光体ドラム２２１が備えられている。感光体ドラム２２１の近傍には、その回転方向に沿って順に、帯電器２４０、現像装置２５０、クリーニング装置２６０、および除電装置２６３が配置されている。
【００８７】
感光体ドラム２２１は、その表面が帯電器２４０により所定の極性および電位で一様に帯電される。帯電状態の感光体ドラム２２１に、画像読取部２１Ｂで読み取られた画像データに基づいて、レーザ照射部２６により制御されるレーザ光Ｌが照射され、照射部分の電位が光減衰して原稿画像の静電潜像が作られる。そして、現像装置２５０にて帯電せしめられたトナーが、現像ローラ２５１によって感光体ドラム２２１の表面に供給され、静電潜像からトナー像が形成される。
【００８８】
一方、用紙Ｐは、用紙搬送路２３（図９参照）によって感光体ドラム２２１表面のトナー像形成と同期を取って、感光体ドラム２２１と転写ローラ２３１とが接触して形成される転写ニップ部に挿通される。このとき、転写ローラ２３１には、感光体ドラム２２１やトナーとは逆極性である負極の転写バイアスが印加される。これにより、トナーが感光体ドラム２２１から転写ローラ２３１へ向けて移動し、トナー像が用紙Ｐに接触転写される。
【００８９】
トナー像転写後、感光体ドラム２２１表面に残留したトナーは、クリーニング装置２６０に設けられたクリーニングブレード２６１により掻き取るように除去される。クリーニング装置２６０に設けられたハウジング２６２内に回収されたトナーは、スクリュー（図示せず）によりクリーニング装置２６０の外部へと搬送される。感光体ドラム２２１表面のトナーがクリーニングされた後、除電装置２６３で感光体ドラム２２１表面の除電が行われることにより、次の画像形成動作のための準備が整えられる。
【００９０】
図１１は画像形成装置本体２１Ａによる画像読取部２１Ｂの支持構造を示す斜視図であり、図１２はその支持構造に設けられた高さ調整機構を示す斜視図、図１３は高さ調整機構の分解斜視図で、図１４は高さ調整機構の断面図である。
【００９１】
画像形成装置本体２１Ａは、左上側の支持部２７０と右上側の支持フレーム２７１とを有する支持構造を備える。支持部２７０は前後に立設した支柱２７０ａ（後側の支柱は図１１に表れていない）の上に、水平方向に横枠２７０ｂを掛け渡した構成である。一方、支持フレーム２７１は、角パイプを加工して形成されていて、Ｌ字状をした下部フレーム部２７１ａの上に水平フレーム部２７１ｂを有する構成である。
【００９２】
画像読取部２１Ｂは、上面に開口部２５ａが設けられた直方体形状のケーシング２５により、光学系ユニット２４を包囲するように構成されている。ケーシング２５の底面の左下側は支持部２７０にて支持され、ケーシング２５の底面の右下側が支持フレーム２７１にて支持されている。なお、ケーシング２５の外側には、図示しない外装カバーが装着される。
【００９３】
ここで、ケーシング２５の底面の右前側が高さ調整機構２７２により支持され、且つ高さ調整されるように構成されている。この高さ調整機構２７２は、水平フレーム部２７１ｂにおける前端部２７１ｃに設けられている。前端部２７１ｃの上面には、切欠部２７１ｄが形成されている。
【００９４】
高さ調整機構２７２は、水平フレーム部２７１ｂの長手方向（前後の水平方向）に沿って水平フレーム部２７１ｂにスライド可能に設けられた調整部材２７３と、ケーシング２５の底面に固定され、調整部材２７３の上側に配される被調整部材２７４と、前端部２７１ｃに対して調整部材２７３および被調整部材２７４の前後方向への移動を規制するための位置決めねじ２７５とを有する構成である。
【００９５】
図１５（Ａ）は、調整部材２７３を示す右側面図（図１３の矢印ＸＶ方向から見た図）、図１５（Ｂ）はその正面図である。
【００９６】
調整部材２７３は、階段状の上面２７３ａ（支持面；第１支持面及び第２支持面）を有する。本実施形態では、上面２７３ａは、９段の高さが異なる支持面が前後方向（スライド方向）に階段状に形成されている例を示している。階段状の上面２７３ａは、各段差をほぼ一定として形成されていて、前側よりも後側が低くなるように構成されている。
【００９７】
調整部材２７３の右側面２７３ｂには６つの位置決め用のねじ孔２７３ｃと、６つの縦長の突起２７３ｄとが形成されている。ねじ孔２７３ｃ及び突起２７３ｄの数は任意である。また、調整部材２７３の前側は、スライド操作の際に作業者が把持する把持部２７３ｅとされている。把持部２７３ｅには、作業者が掴み易いように孔２７３ｆが設けられている。なお、孔２７３ｆに代えて、凹凸グリップを設けてもよい。突起２７３ｄは、前端部２７１ｃの右側面前端に対する位置関係に基づきスライド位置を視認するために用いられる。
【００９８】
被調整部材２７４は、ケーシング２５の底面に取付けられる上面２７４ａと、上面２７４ａの左右端から垂下して調整部材２７３を幅方向に挟む右側垂下片２７４ｂおよび左側垂下片２７４ｃと、上面２７４ａの前端から垂下して後側に折れ曲がった下面２７４ｄとを有する（図１３参照）。
【００９９】
下面２７４ｄには、３段階で異なった高さ部分２７４ｅ、２７４ｆ、２７４ｇが形成されている（図１４参照）。これら高さ部分２７４ｅ、２７４ｆ、２７４ｇは、一番前側の高さ部分２７４ｅが高く、一番後側の高さ部分２７４ｇが低く、中間の高さ部分２７４ｆが中間レベルの高さに形成されている。つまり、調整部材２７３の上面２７３ａの階段とは逆方向の階段が、下面２７４ｄに形成されている。また、上面２７４ａには、ケーシング２５の底面を貫通して螺着されるねじ（図略）のためのねじ孔２７４ｈが設けられるとともに、ストッパ２７４ｉが後側に設けられている。
【０１００】
この被調整部材２７４と調整部材２７３とは、図１４に示したように、水平フレーム部２７１ｂの前端部２７１ｃにおいて、下側に調整部材２７３が配置され、その上側に被調整部材２７４が配置される。このとき、右側垂下片２７４ｂは水平フレーム部２７１ｂにおける切欠部２７１ｄの右側側面２７１ｅの外側に位置するように配される（図１２参照）。
【０１０１】
ケーシング２５の高さ調整を行う場合、作業者は、ケーシング２５の前方側を少し持ち上げた状態で、調整部材２７３の把持部２７３ｅを把持して前後方向にスライド移動させる。このとき、調整部材２７３によるケーシング２５の支持状態は解除されるが、ケーシング２５の後方側は、支持部２７０と支持フレーム２７１とで支えられており、これらによるケーシング２５の支持状態は実質的に維持されている。
【０１０２】
調整部材２７３のスライド移動により、被調整部材２７４の下面２７４ｄにおける高さ部分２７４ｅ、２７４ｆ、２７４ｇが、調整部材２７３における階段状の上面２７３ａの３箇所と当接する位置が変化する。これにより、被調整部材２７４の高さ位置を変えることができる。その後、作業者は、持ち上げているケーシング２５の前方側を降ろす。
【０１０３】
そして、ケーシング２５の底面が水平になると、図１２および図１３に示すように、位置決めねじ２７５を右側から左側へ向けて取付ける。このとき、右側垂下片２７４ｂに設けた長孔２７４ｊ、水平フレーム部２７１ｂの右側側面２７１ｅに設けた貫通孔２７１ｆを挿通し、位置決め用のねじ孔２７３ｃの１つに位置決めねじ２７５が螺入されるとともに、ストッパ２７４ｉが切欠部２７１ｄの後側縁２７１ｇに係止される。このストッパ２７４ｉの係止と、右側垂下片２７４ｂが水平フレーム部２７１ｂの切欠部２７１ｄの右側側面２７１ｅを跨ぐこととによって、被調整部材２７４およびこの被調整部材２７４が底面に固着されたケーシング２５が、所定高さ位置よりも下側に低くならないように設計されている。
【０１０４】
以上のように構成された第２実施形態の画像形成装置１０Ａによれば、調整部材２７３を前後方向へ水平にスライドさせると、調整部材２７３の画像読取部２１Ｂ下側の被調整部材２７４に対する相対位置が変化する。これに伴って、被調整部材２７４を支持する調整部材２７３の階段状の上面２７３ａの位置が変わって被調整部材２７４の高さが調整される。これにより、被調整部材２７４を底面に取付けた画像読取部２１Ｂのケーシング２５の高さが調整される。したがって、光学系ユニット２４を画像読取部２１Ｂに組み付けた後においても、これを解体することなく支持部２７０と支持フレーム２７１とによるケーシング２５の支持状態が実質的に維持された状態で、光学系ユニット２４の傾きを調整することができる。
【０１０５】
また、本実施形態においては、被調整部材２７４の下面２７４ｄと調整部材２７３の上面２７３ａとが、調整部材２７３のスライド方向（前後方向）に沿って相互に逆の階段状となっている。このため、被調整部材２７４と調整部材２７３との当接面が複数箇所、本実施形態では３箇所となり、当接面が１箇所とする場合に比べて被調整部材２７４の調整部材２７３による支持状態を安定化させ得る。
【０１０６】
以上、本発明の第２実施形態につき説明したが、上述の実施形態に限定されるものではなく、例えば下記（１）〜（３）の変形実施形態を取ることができる。
【０１０７】
（１）上述した実施形態では、支持フレーム２７１が水平フレーム部２７１ｂの下側にＬ字状を呈する下部フレーム部２７１ａを有する構成としている。これに限らず、水平フレーム部２７１ｂの下側の部材はどのような形状のものであってもよい。また、水平フレーム部２７１ｂの全体を、角パイプで形成する必要はなく、高さ調整機構２７２を配置する箇所が内部空洞となったフレーム部材を用いてもよい。
【０１０８】
（２）上述した実施形態では、ケーシング２５の右側部分を水平フレーム部２７１ｂの上面の全域で支持する構成としている。このため、被調整部材２７４およびケーシング２５が所定高さ位置よりも下側に低くならないように設計し、被調整部材２７４で支持するケーシング２５の右前側部分を上昇させてケーシング２５を水平にしている。これに代えて、水平フレーム部２７１ｂの上面の数カ所に突起を設け、これら突起と高さ調整機構２７２とでケーシング２５の右側部分を支持する構成としてもよい。この場合には、ケーシング２５の右前側部分の上昇と、ケーシング２５の右前側部分の降下との両方で、ケーシング２５を水平にすることが可能となり、広範囲な傾き調整に適用化することができる。
【０１０９】
（３）上述した実施形態では、高さ調整機構２７２を右前側の１箇所に設けているが、これに限らない。例えば、右側の前後と左側の前後の４箇所のうちの任意の１箇所に高さ調整機構２７２を設けてもよく、また、前記４箇所のうちの２箇所以上に高さ調整機構２７２を設けてもよい。
【図面の簡単な説明】
【０１１０】
【図１】本発明の第１実施形態に係る画像形成装置の概要を示す正面図である。
【図２】図１に示された画像読取装置の斜視図である。
【図３】光学系ユニットのケーシングを収納する画像読取フレームを示す分解斜視図である。
【図４】高さ調整機構の構成を示す断面図である。
【図５】高さ調整機構の分解斜視図である。
【図６】高さ調整機構の摘みの配置箇所を示す図である。
【図７】外装カバーに設けられた窓部を覆う開閉部材を示す斜視図である。
【図８】画像形成装置の右側面図である。
【図９】本発明の第２実施形態に係る画像形成装置の概要を示す正面図である。
【図１０】画像形成部の周辺を示す詳細図である。
【図１１】画像形成装置本体による画像読取部の支持構造を示す斜視図である。
【図１２】図１１の支持構造に設けられた高さ調整機構を示す斜視図である。
【図１３】図１２の高さ調整機構を示す分解斜視図である。
【図１４】高さ調整機構の断面図である。
【図１５】（Ａ）は、調整部材を示す右側面図、（Ｂ）は、調整部材の正面図である。
【符号の説明】
【０１１１】
１    高さ調整機構
２    高さ調整部材
２ａ    上面
２ｂ    マーク
３    摘み（操作部）
４    ケース支持部材（被調整部材）
５    台部材
６    台部材固定具
７    固定ピン
８    固定部材（ビス）
９    表示部
１６    画像読取フレーム
１６ａ    底面
１６ｇ    開口（持ち上げ機構）
２０    光学系ユニット
３０    ケーシング
３０ａ    底面
５１    ＣＣＤ
１６０    外装カバー
１６０ｄ    窓
１６３    開閉部材
【図１】
2008271521.tif 000003
【図２】
2008271521.tif 000004
【図３】
2008271521.tif 000005
【図４】
2008271521.tif 000006
【図５】
2008271521.tif 000007
【図６】
2008271521.tif 000008
【図７】
2008271521.tif 000009
【図８】
2008271521.tif 000010
【図９】
2008271521.tif 000011
【図１０】
2008271521.tif 000012
【図１１】
2008271521.tif 000013
【図１２】
2008271521.tif 000014
【図１３】
2008271521.tif 000015
【図１４】
2008271521.tif 000016
【図１５】
2008271521.tif 000017